(57)【要約】【課題】複写牽制画像の印字データを自動的に生成する。【解決手段】印刷データ処理装置１により、複写機による複写によって消失する印字ドットパターンと、複写機による複写によって残存する印字ドットパターンを用いて、複写牽制画像の印字データが生成され、生成された印字データは光学濃度データに変換される。この光学濃度データは２次元ＦＦＴにより空間周波数データに変換され、その空間周波数データの中から、人間の視覚で認識不可能な周波数帯域が切り捨てられる。残った空間周波数データは、２次元逆ＦＦＴにより光学濃度データに逆変換され、得られた光学濃度データから、複写によって消失する部分の平均画像濃度と、複写によって残存する部分の平均画像濃度が算出される。複写による消失する部分と残存する部分の平均画像濃度が等しくなるように、複写牽制画像の印字データが決定される。【選択図】    図１
2004350235.tif 000002
【特許請求の範囲】
【請求項１】
複写を牽制するための複写牽制画像の印字データを生成する印字データ生成手段と、
前記印字データ生成手段により生成された印字データを光学濃度データに変換する光学濃度変換手段と、
前記光学濃度変換手段により得られた光学濃度データを、空間周波数データに変換する周波数変換手段と、
前記周波数変換手段により得られた空間周波数データの中から、人間の視覚で認識不可能な周波数帯域を切り捨てる切り捨て手段と、
前記周波数帯域の切り捨てにより残った空間周波数データを、光学濃度データに逆変換する逆変換手段と、
前記逆変換手段により得られた光学濃度データから、前記複写牽制画像の濃度の平均値を算出する平均濃度算出手段と、
前記平均濃度算出手段により算出された濃度の平均値に基づいて、前記複写牽制画像の印字データを決定する決定手段と、を備えることを特徴とする印刷データ処理装置。
【請求項２】
複写牽制画像で使用される印字ドットパターンが印刷された印刷物を、当該印刷物を印刷した印字装置の解像度より大きい解像度を有するスキャナで読み取る読取手段と、
前記読取手段による読み取りデータを光学濃度データに変換する読み取りデータ変換手段と、
前記読み取りデータ変換手段により得られた光学濃度データを記憶する濃度データ記憶手段と、を備え、
前記光学濃度変換手段は、前記濃度データ記憶手段に記憶された光学濃度データを用いて、前記印字データ生成手段により生成された印字データを光学濃度データに変換することを特徴とする請求項１に記載の印刷データ処理装置。
【請求項３】
前記印字データ生成手段は、複写機による複写によって消失する印字ドットパターンと、複写機による複写によって残存する印字ドットパターンを用いて、複写牽制画像の印字データを生成し、
前記平均濃度算出手段は、前記複写牽制画像の濃度の平均値として、複写によって消失する部分の平均画像濃度と、複写によって残存する部分の平均画像濃度を算出し、
前記決定手段は、前記平均濃度算出手段により算出された前記消失する部分の平均画像濃度と前記残存する部分の平均画像濃度に基づいて、前記複写牽制画像の印字データを決定することを特徴とする請求項１又は２に記載の印刷データ処理装置。
【請求項４】
前記平均濃度算出手段によって算出された前記消失する部分の平均画像濃度と前記残存する部分の平均画像濃度の差が、所定範囲内であるか否かを判定する判定手段を備え、
前記判定手段により、前記消失する部分の平均画像濃度と前記残存する部分の平均画像濃度の差が所定範囲内であると判定された場合、前記決定手段は、前記印字データ生成手段により生成された印字データを、前記複写牽制画像の印字データとして決定することを特徴とする請求項３に記載の印刷データ処理装置。
【請求項５】
前記判定手段により、前記消失する部分の平均画像濃度と前記残存する部分の平均画像濃度の差が所定範囲内でないと判定された場合、前記複写牽制画像の印字データを変更する変更手段を備え、
前記光学濃度変換手段は、更に、前記変更手段により変更された印字データを、前記濃度データ記憶手段に記憶された光学濃度データを用いて、光学濃度データに変換することを特徴とする請求項４に記載の印刷データ処理装置。
【請求項６】
コンピュータに、
複写を牽制するための複写牽制画像の印字データを生成する印字データ生成機能と、
前記印字データ生成機能により生成された印字データを光学濃度データに変換する光学濃度変換機能と、
前記光学濃度変換機能により得られた光学濃度データを、空間周波数データに変換する周波数変換機能と、
前記周波数変換機能により得られた空間周波数データの中から、人間の視覚で認識不可能な周波数帯域を切り捨てる切り捨て機能と、
前記周波数帯域の切り捨てにより残った空間周波数データを、光学濃度データに逆変換する逆変換機能と、
前記逆変換機能により得られた光学濃度データから、前記複写牽制画像の濃度の平均値を算出する平均濃度算出機能と、
前記平均濃度算出機能により算出された濃度の平均値に基づいて、前記複写牽制画像の印字データを決定する決定機能と、を実現させるためのプログラム。
【発明の詳細な説明】
【０００１】
【発明の属する技術分野】
本発明は、印刷データ処理装置及びプログラムに関する。
【０００２】
【従来の技術】
従来より、金券や各種認定書、証明書等の重要な印刷物（原本）の複写による不正使用を防ぐために、これらの原本に、複写を牽制する複写牽制画像（隠し文字等）を印刷するための様々な方法が提案されている（例えば、特許文献１参照。）。このような複写牽制画像としては、複写機による複写によって消失する複写消失画像と、複写しても残存する複写残存画像が組み合わされたものが知られている。複写消失画像、複写残存画像の組み合わせにより生成された複写牽制画像が含まれる原本を複写すると、例えば、原本では視認できない文字や図形が複写物上に浮かび上がってくる。
【０００３】
このような複写牽制画像の印字ドットパターンの再現性は、印刷出力するプリンタの性能によって異なることから、複写牽制画像に使用する印字ドットパターンは、各プリンタ毎に決定する必要がある。例えば、プリンタ毎に、印字ドット構成、配置等が異なる様々な印字ドットパターンが生成され、人間の目による比較検討が行われることにより、プリンタの性能に見合う印字ドットパターンが決定されている。
【０００４】
【特許文献１】
特開２００１−２３８０７５号公報
【０００５】
【発明が解決しようとする課題】
しかしながら、従来、実際に複写牽制画像に使用する印字ドットパターンは、人手による試行錯誤を繰り返すことによって決定されていたため、複写牽制画像の印字データの決定には、多大な手間と時間がかかるという問題があった。
【０００６】
本発明の課題は、複写牽制画像の印字データを自動的に生成することである。
【０００７】
【課題を解決するための手段】
請求項１記載の発明は、複写を牽制するための複写牽制画像の印字データを生成する印字データ生成手段と、前記印字データ生成手段により生成された印字データを光学濃度データに変換する光学濃度変換手段と、前記光学濃度変換手段により得られた光学濃度データを、空間周波数データに変換する周波数変換手段と、前記周波数変換手段により得られた空間周波数データの中から、人間の視覚で認識不可能な周波数帯域を切り捨てる切り捨て手段と、前記周波数帯域の切り捨てにより残った空間周波数データを、光学濃度データに逆変換する逆変換手段と、前記逆変換手段により得られた光学濃度データから、前記複写牽制画像の濃度の平均値を算出する平均濃度算出手段と、前記平均濃度算出手段により算出された濃度の平均値に基づいて、前記複写牽制画像の印字データを決定する決定手段と、を備えることを特徴としている。
【０００８】
本発明によれば、人間の目から見た画像濃度を算出可能にしたことにより、複写牽制画像用の印字データを自動的に生成することが可能になる。
【０００９】
【発明の実施の形態】
以下、図を参照して本発明の実施の形態を詳細に説明する。
まず、構成を説明する。
【００１０】
図１に、本発明の実施の形態における印刷データ処理装置１の構成を示す。印刷データ処理装置１は、図１に示すように、ＣＰＵ（Ｃｅｎｔｒａｌ  Ｐｒｏｃｅｓｓｉｎｇ  Ｕｎｉｔ）１０、表示部１１、入力部１２、伝送制御部１３、記憶装置１４、ＲＡＭ（Ｒａｎｄｏｍ  Ａｃｃｅｓｓ  Ｍｅｍｏｒｙ）１５、印字装置１６、スキャナ１７により構成されている。
【００１１】
ＣＰＵ１０は、記憶装置１４に格納された各種制御プログラムを読み出してＲＡＭ１５内に展開し、それらの制御プログラムに従って、印刷データ処理装置１の各部を集中制御する。以下、ＣＰＵ１０による各種制御動作の詳細を説明する。
【００１２】
ＣＰＵ１０は、複写牽制画像で使用可能な印字ドットパターン毎に、濃度プロファイルを作成する濃度プロファイル作成処理を実行する（図８参照）。図２に、印字ドットパターンの例を示す。図２において、一つの桝目は、解像度が６００ｄｐｉの１画素を示しており、１画素で、４２．３μｍ×４２．３μｍの面積を占める。
【００１３】
濃度プロファイル作成処理において、ＣＰＵ１０は、印字ドットパターン毎に、印字装置１６により印刷された印字ドットパターンのスキャナ１７による読み取りデータを、光学濃度変換ＬＵＴ（図６参照）を用いて光学濃度データに変換することにより、該当する印字ドットパターンの濃度プロファイルを作成する。ここで、スキャナ１７による読み取りの解像度は、印字装置１６の解像度より高いものとする。
【００１４】
図３に、解像度６００ｄｐｉの印字装置で印刷された印字ドットパターンの印字イメージ（図３（ａ））と、図３（ａ）に示す印字ドットパターンを解像度１２００ｄｐｉのスキャナで読み取った場合の読み取りデータ（図３（ｂ））の一例を示す。また、図４に、スキャナによる読み取りデータ（図４（ａ））を光学濃度変換ＬＵＴ（図６参照）を用いて変換することにより得られる光学濃度データ（図４（ｂ））の一例を示す。ここで、光学濃度とは、画像の濃さを客観的に示すもので、画像の着目部の反射率をＲとすると、光学濃度Ｄは、Ｄ＝ｌｏｇ１０（１／Ｒ）と表される。また、図５に、印字ドットパターンの光学濃度データを示す濃度プロファイルの一例を示す。図５には、１ドット構成の印字ドットパターンの濃度プロファイルと、２ドット構成の印字ドットパターンの濃度プロファイルが示されている。
【００１５】
また、ＣＰＵ１０は、複写牽制画像の印字データを生成する印字データ生成処理を実行する（図９参照）。この印字データ生成処理において、ＣＰＵ１０は、複写機による複写によって消失する印字ドットパターンと、複写機による複写によって残存する印字ドットパターンを用いて、複写牽制画像の印字データを仮生成し、その印字データを、上記の濃度プロファイルを用いて光学濃度データに変換する。
【００１６】
また、ＣＰＵ１０は、濃度プロファイルにより得られた光学濃度データを、２次元ＦＦＴ（Ｆａｓｔ  Ｆｏｕｒｉｅｒ  Ｔｒａｎｓｆｏｒｍ）により空間周波数データに変換し、得られた空間周波数データから、図７に示すＶＴＦ（Ｖｉｓｕａｌ  Ｔｒａｎｓｆｅｒ  Ｆｕｎｃｔｉｏｎ）特性データを用いて、人間の視覚で認識不可能な周波数帯域を切り捨て、切り捨てにより残った空間周波数データを２次元逆ＦＦＴにより光学濃度データに逆変換する。そして、ＣＰＵ１０は、２次元逆ＦＦＴにより得られた光学濃度データから、複写によって消失する部分（以下、「消失部分」と称す。）の平均画像濃度と、複写によって残存する部分（以下、「残存部分」と称す。）の平均画像濃度を算出し、消失部分の平均画像濃度と、残存部分の平均画像濃度の差が所定範囲内であるか否かを判定する。消失部分と残存部分の平均画像濃度の差が所定範囲内である場合は、上記で生成された印字データを、複写牽制画像の印字データとして決定する。消失部分と残存部分の平均画像濃度の差が所定範囲内でない場合は、消失部分と残存部分の印字ドットパターンの組み合わせを変更した印字データを仮生成し、この変更された印字データにおいて、消失部分と残存部分の平均画像濃度を算出する処理を行えばよい。
【００１７】
ここで、消失部分と残存部分の平均画像濃度を等しくなるような印字データを生成するのが好ましい。これは、人間が、複写牽制画像の消失部分と残存部分を区別できない画像は、平均画像濃度が、消失部分と残存部分で等しくなるという実験結果による。
【００１８】
表示部１１は、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）等の表示画面を有し、ＣＰＵ１０から入力される表示信号に従って所要の表示処理を行う。
【００１９】
入力部１２は、文字入力キー、テンキー、カーソルキー及び各種機能キーを備えたキー入力装置や、マウス等のポインティングデバイス等を備え、キー入力装置やポインティングデバイスの操作による操作信号をＣＰＵ１０へ出力する。
【００２０】
伝送制御部１３は、モデム（ＭＯＤＥＭ：ＭＯｄｕｌａｔｏｒ／ＤＥＭｏｄｕｌａｔｏｒ）、ルータ、ＴＡ（Ｔｅｒｍｉｎａｌ  Ａｄａｐｔｅｒ）等によって構成され、電話回線、専用線、ＩＳＤＮ回線等の通信回線を介して外部機器と通信を行うための制御を行う。
【００２１】
記憶装置１４は、磁気的記録媒体、光学的記録媒体又は半導体メモリなど、ＣＰＵ１０による読み取り、書き込み可能な記録媒体を備えて構成される。この記録媒体は、ＣＤ−ＲＯＭ、メモリカード等の可搬型の媒体やハードディスク等の固定的な媒体を含む。また、この記録媒体に格納するプログラムやデータ等は、その一部若しくは全部をサーバやクライアントからＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）等のネットワークを介して伝送制御部１３から受信する構成にしてもよい。更に、記憶装置１４は、ネットワーク上に構築されたサーバやクライアントの記録媒体であってもよい。
【００２２】
記憶装置１４は、ＣＰＵ１０により実行される各種制御プログラム（濃度プロファイル作成処理プログラム、印字データ生成処理プログラム等）や、それらの制御プログラムで使用するデータ等を予め格納している。また、記憶装置１４は、図６に示すような、スキャナによる読み取りデータと光学濃度の関係を示す光学濃度変換ＬＵＴ（Ｌｏｏｋ  Ｕｐ  Ｔａｂｌｅ）を格納している。また、記憶装置１４は、図７に示すような、画像の空間周波数とＶＴＦの関係を示すＶＴＦ特性データを格納している。ＶＴＦとは、視覚系のＭＴＦ（Ｍｏｄｕｌａｔｉｏｎ  Ｔｒａｎｓｆｅｒ  Ｆｕｎｃｔｉｏｎ）を意味し、図７に示すような空間周波数ｆの関数として定義される。また、記憶装置１４は、濃度プロファイル作成処理（図８参照）において印字ドットパターン毎に作成された濃度プロファイルのデータを格納する。
【００２３】
ＲＡＭ１５は、ＣＰＵ１０により実行される各種制御プログラムをプログラム格納領域に展開するとともに、入力部１２により入力された入力指示、入力データ、上記制御プログラムの実行により生じる処理結果等のデータをワークメモリに一時的に格納する。
【００２４】
印字装置１６は、レーザプリンタ、インクジェット式プリンタ、昇華型プリンタ等のプリンタであり、ＣＰＵ１０から入力される制御信号に従って印刷出力を行う。
【００２５】
スキャナ１７は、光源、ＣＣＤ（Ｃｈａｒｇｅｄ−Ｃｏｕｐｌｅｄ  Ｄｅｖｉｃｅ）、Ａ／Ｄコンバータ等を備え、原稿台に載置された、原稿（写真プリント、書画、各種の印刷物）に光源からの光を照射し、その反射光をＣＣＤにより電気信号（アナログ信号）に変換し、Ａ／Ｄコンバータにより、このアナログ信号をデジタル信号に変換することによって、デジタル画像信号を取得する。このスキャナ１７の解像度は、印字装置１６の解像度より高い。
【００２６】
次に、本実施の形態における動作を説明する。
図８〜図１０は、印刷データ処理装置１の動作を説明するためのフロ−チャートである。これらのフローチャートは、印刷データ処理装置１を構成するコンピュータに各機能を実現させるためのプログラムを説明するためのものである。これらのプログラムはＣＰＵ１０が読み取り可能なプログラムコードの形態で記録媒体に格納されている例で説明するが、全ての機能を記録媒体に格納する必要はなく、必要に応じて、その一部又は全部を通信ネットワークを介して伝送制御部１３から受信して実現するようにしてもよい。
【００２７】
まず、図８のフローチャートを参照して、濃度プロファイル作成処理について説明する。
【００２８】
印字装置１６において、図２に示す印字ドットパターン毎に、濃度プロファイルを作成するためのサンプル画像が印刷される（ステップＳ１）。ここで、サンプル画像は、印字ドットパターンのベタ画像である。次いで、印字ドットパターンのベタ画像が印刷された印刷物のうちの一つがスキャナ１７により読み取られる（ステップＳ２）。
【００２９】
次いで、ステップＳ２において読み取られた読み取りデータが、光学濃度変換ＬＵＴにより光学濃度データに変換され、該当する印字ドットパターンの濃度プロファイルが作成され、記憶装置１４に格納される（ステップＳ３）。
【００３０】
濃度プロファイルが作成されていない印字ドットパターンがある場合は（ステップＳ４；ＹＥＳ）、ステップＳ２に戻り、濃度プロファイルが作成されていない印字ドットパターンに対応する印刷物のうちの一つがスキャナ１７により読み取られる。全ての印字ドットパターンの濃度プロファイルの作成が終了した場合（ステップＳ４；ＮＯ）、本濃度プロファイル作成処理が終了する。
【００３１】
次に、図９のフローチャートを参照して、複写牽制画像の印字データを生成する印字データ生成処理について説明する。図９の印字データ生成処理では、複写牽制画像として、牽制文字を生成する場合を示す。また、以下では、牽制文字のうち、複写機による複写により消失する部分を、牽制文字の背景部分とし、複写機による複写により残存する部分を、牽制文字の文字部分とする。
【００３２】
まず、牽制文字を構成する背景部分と文字部分の印字データが仮生成される（ステップＳ１０）。ここで、印字データには、印字ドットパターン及びその印字ドットパターンの配置を示すデータが含まれる。複写時に文字部分が浮き出るような牽制文字を生成する場合、背景部分の印字ドットパターンは、複写機による複写が不可能なドット構成（即ち、複写機の解像度を超える小さいドット構成）となり、文字部分の印字ドットパターンは、複写機による複写が可能なドット構成（即ち、複写機の解像度を越えない大きいドット構成）となる。
【００３３】
図１１に、牽制文字が「Ａ」である場合の印字データの例を示す。図１１では、縦５．１ｍｍ、横３．８ｍｍのサイズで、牽制文字「Ａ」の印字データが生成された場合を示しており、牽制文字の文字部分に、複写可能なドット構成の印字ドットパターンαが配置され、牽制文字の背景部分に、複写不可能なドット構成の印字ドットパターンβが配置されている。
【００３４】
次いで、記憶装置１４に記憶された、牽制文字の背景部分を構成する印字ドットパターンの濃度プロファイルから、その印字ドットパターンに対応する光学濃度データが取得され、背景部分の平均画像濃度が算出される。また、記憶装置１４に記憶された、牽制文字の文字部分を構成する印字ドットパターンの濃度プロファイルから、その印字ドットパターンに対応する光学濃度データが取得され、文字部分の平均画像濃度が算出される（ステップＳ１１）。平均画像濃度の算出処理の詳細については、図１０において後述する。
【００３５】
次いで、牽制文字の背景部分の平均画像濃度と、文字部分の平均画像濃度が比較され（ステップＳ１２）、両者の差が所定範囲内であるか否かが判定される（ステップＳ１３）。
【００３６】
ステップＳ１３において、背景部分の平均画像濃度と文字部分の平均画像濃度の差が所定範囲を超えていると判定された場合（ステップＳ１３；ＮＯ）、背景部分と文字部分の印字ドットパターンの組み合わせが変更され（ステップＳ１４）、印字ドットパターンの組み合わせの変更に応じて、牽制文字の印字データが、再度、仮生成される（ステップＳ１０）。印刷ドットパターンの変更は、プログラムにより機械的に行うようにする。
【００３７】
ステップＳ１３において、背景部分の平均画像濃度と文字部分の平均画像濃度の差が所定範囲内であると判定された場合（ステップＳ１３；ＹＥＳ）、ステップＳ１０で仮生成された印字データが、牽制文字の印字データとして決定され、その印字データにファイル名が付与されて記憶装置１４に保存され（ステップＳ１５）、本印字データ生成処理が終了する。
【００３８】
次に、図１０のフローチャートを参照して、図９のステップＳ１１における平均画像濃度算出処理について説明する。以下では、牽制文字の背景部分について平均画像濃度を算出する場合を示すが、以下の平均濃度算出処理は、牽制文字の文字部分についても適用される。
【００３９】
まず、牽制文字の背景部分を構成する印字ドットパターンの光学濃度データが、その印字ドットパターンに対応する濃度プロファイルから取得され、背景部分の印字データが光学濃度データに変換される（ステップＳ２０）。図１２に、図１１の牽制文字の文字部分を構成する印字ドットパターンαの光学濃度データ（図１２（ａ））と、牽制文字の背景部分を構成する印字ドットパターンβの光学濃度データ（図１２（ｂ））を示す。図１２において、「０」は濃度が０であることを示す。
【００４０】
次いで、背景部分の光学濃度データが、２次元ＦＦＴにより空間周波数データに変換される（ステップＳ２１）。次いで、視覚のＭＴＦ（ＶＴＦ）特性データを用いて、ステップＳ２１で得られた空間周波数データのうち、人間の視覚で認識不可能な周波数帯域（高周波帯域）が切り捨てられる（ステップＳ２２）。
【００４１】
次いで、ステップＳ２２における切り捨てにより残った空間周波数データが、２次元逆ＦＦＴにより実空間データ（光学濃度データ）に戻される（ステップＳ２３）。次いで、ステップＳ２３の変換により得られた光学濃度データを用いて、背景部分を構成する各画素の光学濃度の合計が算出され、その算出された合計値を、背景部分の総画素数で割ることにより、背景部分の平均画像濃度が算出され（ステップＳ２４）、本平均画像濃度算出処理が終了する。
【００４２】
図９の印字データ生成処理により、牽制文字の印字データが決定されると、その決定された印字データを用いて、プリンタドライバ機能部分と、牽制文字を生成するためのアプリケーションが合体されることにより、印字装置１６と同機種のプリンタで牽制文字を出力するためのソフトツールが作成される。すなわち、このソフトツールは、上述で生成された印字データと、牽制文字の書式等を作成するプログラムが一体化されたソフトウェアを示す。作成されたソフトツールは、顧客に販売され、顧客側では、購入したソフトツールをＰＣ（Ｐｅｒｓｏｎａｌ  Ｃｏｍｐｕｔｅｒ）にインストールすることにより、印字装置１６と同機種のプリンタにて、複写牽制画像が印刷可能となる。
【００４３】
以上のように、本実施の形態の印刷データ処理装置１によれば、複写牽制画像の印字データを光学濃度データに変換し、視覚のＭＴＦ（ＶＴＦ）を用いて人間の視覚で認識不可能な空間周波数帯域を切り捨てることによって、人間の視覚に近い画像濃度（印字濃度）を求め、消失部分と残存部分の平均画像濃度がほぼ等しい場合の印字データを、実際に複写牽制画像に使用する印字データとして決定することにより、プリンタ毎の複写牽制画像用の印字データを自動的に生成することが可能になる。
【００４４】
なお、本実施の形態における記述内容は、本発明の趣旨を逸脱しない範囲で適宜変更可能である。
【００４５】
【発明の効果】
本発明によれば、人間の目から見た画像濃度を算出可能にしたことにより、複写牽制画像用の印字データを自動的に生成することが可能になる。
【図面の簡単な説明】
【図１】本発明を適用した実施の形態の印刷データ処理装置１の構成を示すブロック図。
【図２】各種の印字ドットパターンを示す図。
【図３】印字装置による印字ドットパターンの印字例（同図（ａ））と、その印字ドットパターンをスキャナによって読み取った場合の読み取りデータ（同図（ｂ））を示す図。
【図４】スキャナによる読み取りデータ（同図（ａ））と、その読み取りデータを光学濃度変換した場合の光学濃度データ（同図（ｂ））を示す図。
【図５】濃度プロファイルの例を示す図。
【図６】記憶装置１４に格納された光学濃度変換ＬＵＴを示す図。
【図７】記憶装置１４に格納された視覚のＭＴＦ（ＶＴＦ）特性データを示す図。
【図８】印刷データ処理装置１により実行される濃度プロファイル作成処理を示すフローチャート。
【図９】印刷データ処理装置１により実行される印字データ生成処理を示すフローチャート。
【図１０】図９のステップＳ１１における平均画像濃度算出処理を示すフローチャート。
【図１１】牽制文字の印字データの一例を示す図。
【図１２】図１１の牽制文字の文字部分の光学濃度データ（同図（ａ））と、背景部分の光学濃度データ（同図（ｂ））を示す図。
【符号の説明】
１    印刷データ処理装置
１０  ＣＰＵ
１１  表示部
１２  入力部
１３  伝送制御部
１４  記憶装置
１５  ＲＡＭ
１６  印字装置
１７  スキャナ
【図１】
2004350235.tif 000003
【図２】
2004350235.tif 000004
【図３】
2004350235.tif 000005
【図４】
2004350235.tif 000006
【図５】
2004350235.tif 000007
【図６】
2004350235.tif 000008
【図７】
2004350235.tif 000009
【図８】
2004350235.tif 000010
【図９】
2004350235.tif 000011
【図１０】
2004350235.tif 000012
【図１１】
2004350235.tif 000013
【図１２】
2004350235.tif 000014